(57)【要約】      （修正有）【課題】腰痛、便通が改善され、安眠効果が得られ、更に疲労回復効果が得られる体形及び体調調整用サポーターを提供する。【解決手段】本体形及び体調調整用サポーターＩは、伸縮可能に編まれた長尺状編物１からなり、この長尺状編物の材質は、織布、編み布などが使用できる。また該長尺状編物の両端部の表面側面と裏面側面にそれぞれ係止部材２，３を有し、係止部材２，３は、面ファスナーが好ましい。該サポーターは、両方の大腿部に一体的に巻き付けて使用し得る長さを有するものと短長状体からなるサポーターの２個を外面同士の中間部を接続部剤で接続したものと２種類ある。【選択図】図１
0003155242.tif 000002
【実用新案登録請求の範囲】
【請求項１】
伸縮可能に編まれた長尺状編物からなり、該両端部の表面側面と裏面側面にそれぞれ係止部材を有することを特徴とする大腿部に適用する体形及び体調調整用サボーター。
【請求項２】
前記サポーターは、両方の大腿部に一体的に巻き付けて使用し得る長さを有することを特徴とする請求項１に記載の大腿部に適用する体形及び体調調整用サボーター。
【請求項３】
前記サポーターが、一つの大腿部に巻き付ける長さを有するサポーターであって、該サポーターの２個を外面同士の中間部を接続部剤で接続したことを特徴とする請求項１に記載の大腿部に適用する体形及び体調調整用サボーター。
【考案の詳細な説明】
【技術分野】
【０００１】
本考案は、大腿部に適用する体形及び体調調整用サボーターに関するもので、更に詳しくは、本考案は、大腿部に巻き付けることによって腰痛、便通が改善され、安眠効果が得られ、更に疲労回復効果が得られる大腿部に適用する体形及び体調調整用サボーターに関するものである。
【背景技術】
【０００２】
最近では、長時間、立ったままや逆に座ったままの姿勢で作業する場合が多く、仕事が終わる頃にはかなりの疲労感を覚えることが多い。このような場合、マッサージを行ったり、整体院にかよって体の調整をしてもらうことにより日頃の疲れを取り快適な生活を維持することができる。また自宅などで行うマッサージ器や、足の先から頭まで行う全身マッサージ機などが市販されている。更に打撲などのように身体が痛むような場合には、身体の傷む部位にサポーターを装着して通常の生活をしているだけで、サポーターの伸縮により内側面に取付けられている伸縮自在の刺激付与体が身体の傷む部位に適度な刺激を与え、痛みを短時間に除去できるとともに、安価に製造することができるサポーターが開示されている（例えば、特許文献１を参照）。
【０００３】
半月板を適度に押圧し、半月板を保護するとともに、半月板の変位により発生する膝の痛みの緩和及び半月板の矯正を図る半月板矯正ベルトが開示されている（例えば、特許文献２を参照）。
【０００４】
しかしながら、足の先から頭まで行う全身マッサージ機は、マッサージ効果はあるものの、高価であるばかりでなく椅子型であることから自宅やマンションでは場所を占めるなどの点で好ましくないという問題がある。また特許文献１に記載される如き身体の傷む部位にサポーターを装着するものにあっては、身体の傷む部位という特別な場合に使用されるもので、通常、腰痛、便通の改善、安眠効果、更に疲労回復などの目的で使用されるものではい。更に特許文献２に記載される如き半月板の保護という目的で使用するものであって、腰痛、便通の改善、安眠効果、更に疲労回復などの目的で使用されるものではい。
【先行技術文献】
【特許文献】
【０００５】
【特許文献１】特開２００６−１１６２５２（段落０００４、図１、図２、図１０、図１１）
【特許文献２】特開２００７−１０５３１１（段落０００１、図１、図２）
【考案の概要】
【考案が解決しようとする課題】
【０００６】
これに対して、本考案では、傷や打撲などの極度に痛む部位に使用するものではなく、酷くはないが毎日、腰痛、便通などに悩み、熟睡できず朝起きたときに疲労を感じるような状態の場合を考慮して、これらの容態を改善するサボーターについて検討したところ、簡単な形状で、しかも形状上安価に製造できる上、これらの効果が得られることを見出し、ここに本考案をなすに至った。
【０００７】
したがって、本考案が解決しようとする課題は、大腿部に巻き付けることによって腰痛、便通が改善され、安眠効果が得られ、更に疲労回復効果が得られる大腿部に適用する体形及び体調調整用サボーターを提供することにある。
【課題を解決するための手段】
【０００８】
前記の本考案の課題は、以下の各考案によってそれぞれ達成される。
（１）伸縮可能に編まれた長尺状編物からなり、該両端部の表面側面と裏面側面にそれぞれ係止部材を有することを特徴とする大腿部に適用する体形及び体調調整用サボーター。
（２）前記サポーターは、両方の大腿部に一体的に巻き付けて使用し得る長さを有することを特徴とする前記第１項に記載の大腿部に適用する体形及び体調調整用サボーター。
（３）前記サポーターが、一つの大腿部に巻き付ける長さを有するサポーターであって、該サポーターの２個を外面同士の中間部を接続部剤で接続したことを特徴とする前記第１項に記載の大腿部に適用する体形及び体調調整用サボーター。
【考案の効果】
【０００９】
本考案の大腿部に適用する体形及び体調調整用サボーターは、伸縮可能に編まれた長尺状編物からなり、該両端部の表面側面と裏面側面にそれぞれ係止部材を有するので、これを大腿部に適用することにより、腰痛、便通が改善され、安眠効果が得られ、更に疲労回復効果が得られる上、簡単な形状で、しかも形状上安価に製造できるという優れた効果を奏するものである。
【００１０】
また本考案の大腿部に適用する体形及び体調調整用サボーターは、両方の大腿部に一体的に巻き付けて使用し得る長さを有することにより、使用者が簡単に両大腿部を一体的に巻き付けることができるばかりでなく簡単な形状で、しかも形状上安価に製造できる上、前述の如き優れた効果を奏するものである。
【００１１】
更に、本考案の大腿部に適用する体形及び体調調整用サボーターは、一つの大腿部に巻き付ける長さを有するサポーターであって、該サポーターの２個を外面同士の中間部を接続部剤で接続したことにより、大腿部同士が接触して擦れることがなく、したがって、一見煩わしいように思えるが、使用時に違和感がない上、意外にも快適に眠ることができ、前述の如き優れた効果を奏するものである。
【図面の簡単な説明】
【００１２】
【図１】本考案の大腿部に適用する体形及び体調調整用サボーターを示す図面である。図１のａは、その平面図であり、図１のｂは、その側面図である。
【図２】本考案の大腿部に適用する体形及び体調調整用サボーターを大腿部に一体的に適用したところを示す平面図である。
【図３】本考案の大腿部に適用する体形及び体調調整用サボーターの別の実施形態を示す側面図である。
【図４】図３に示される本考案の体形及び体調調整用サボーターを両大腿部に個々に巻き付けて適用したところを示す平面図である。
【考案を実施するための形態】
【００１３】
以下、図面に基づいて本考案の実施の形態を説明する。
図１は、本考案の大腿部に適用する体形及び体調調整用サボーターを示す図面である。図１のａは、その平面図であり、図１のｂは、その側面図である。また図２は、本考案の大腿部に適用する体形及び体調調整用サボーターを大腿部に一体的に適用したところを示す平面図である。図１及び２において、本考案の大腿部に適用する体形及び体調調整用サボーターＩは、伸縮可能に編まれた長尺状編物１からなる。具体的には、天然繊維、化学繊維からなる織布、編み布などが使用でき、しかもそれらの素材に伸縮性を有するか又は編み方によって伸縮性を持たせたものでもよい。また伸縮性の強さは、両大腿部に巻きつけた後、腿を開いたり、縮めたりすることが楽にできる程度が好ましい。また立って小股であるける程度の強度の伸縮性が好ましい。またこの長尺状編物１である両端部の表面側面と裏面側面にそれぞれ係止部材２，３を有している。係止部材２，３としては、面ファスナーが好ましい。これらの面ファスナー２，３は、これらの一方がルーブ状、他方がＪ字状からなるものでも、またこま型とパイル状との組合せでもよい。図１のｂは、例えば、表面側には、係止部材２としてループ２１が形成されており、また裏面側には、係止部材３としてＪ字状３１が形成されている。図２から明らかなように、両方の大腿部５に一体的に巻き付けてこれらの係止部材２、３とを接触させると強固に接続して係止される。なお、符号６は膝であり、符号７はすねである。
【００１４】
図３は、本考案の大腿部に適用する体形及び体調調整用サポーターの別の実施の形態を示す側面図である。また図４は、図３に示される本考案の体形及び体調調整用サボーターを両大腿部に個々に巻き付けて適用したところを示す平面図である。図３及び４において、片方の大体部５にまき付ける程度の長さを有する体形及び体調調整用サポーターが２個からなり、これらのサポーター１ａと１ｂとが互いに背中合わせに配置され、かつそれぞれサポーター１ａ、１ｂの中間部において固定部材４により接続されている。この固定部材４は伸縮性素材で形成されていてもよい。これらのサポーター１ａ、１ｂの表面側面及び裏面側面には、それぞれ面ファスナーを有し、具体的には、前述の如きこれらの一方がルーブ状、他方がＪ字状からなるものでも、またこま型とパイル状との組合せでもよい。図４は、図３に示される本考案のサポーターを大腿部５に装着したところを示したもので、このように両方の大腿部５，５にそれぞれ１ａ、１ｂを装着した。この状態では大腿部５，５を開いた場合、適度の伸縮性によってわずかの抵抗を感じる程度の力が作用している。
【００１５】
本考案の大腿部に適用する体形及び体調調整用サポーターを夜寝る前に大腿部に適用し、翌日の朝までその状態を保持することによって、一見煩わしいように思えるが、意外にも快適に眠ることができ、その間、疲労回復はもちろん、腰痛が良くなり、便通が整い、更に足腰が調整されて細くなりヒップアップ効果が得られる。
【産業上の利用可能性】
【００１６】
本考案は、高価な器具や機器を使用することなく、安価なサポーターにより睡眠中に体形や体調の調整ができる点で、優れた考案であり、今後、この整体の技術分野において自宅で簡単に行えることから極めて有用性を有するものである。
【符号の説明】
【００１７】
Ｉ、ＩＩ  サポーター
１  伸縮可能な長尺状体
１ａ、１ｂ  短長状体のサポーター
２、３  係止部材
４  接続部材
５  大腿部
６  膝
７  すね
２１  ループ
３１  Ｊ字状
【図１】
0003155242.tif 000003
【図２】
0003155242.tif 000004
【図３】
0003155242.tif 000005
【図４】
0003155242.tif 000006
【手続補正書】
【提出日】平成21年9月2日(2009.9.2)
【手続補正１】
【補正対象書類名】明細書
【補正対象項目名】全文
【補正方法】変更
【補正の内容】
【考案の詳細な説明】
【技術分野】
【０００１】
本考案は、大腿部に適用する体形及び体調調整用サポーターに関するもので、更に詳しくは、本考案は、大腿部に巻き付けることによって腰痛、便通が改善され、安眠効果が得られ、更に疲労回復効果が得られる大腿部に適用する体形及び体調調整用サポーターに関するものである。
【背景技術】
【０００２】
最近では、長時間、立ったままや逆に座ったままの姿勢で作業する場合が多く、仕事が終わる頃にはかなりの疲労感を覚えることが多い。このような場合、マッサージを行ったり、整体院にかよって体の調整をしてもらうことにより日頃の疲れを取り快適な生活を維持することができる。また自宅などで行うマッサージ器や、足の先から頭まで行う全身マッサージ機などが市販されている。更に打撲などのように身体が痛むような場合には、身体の傷む部位にサポーターを装着して通常の生活をしているだけで、サポーターの伸縮により内側面に取付けられている伸縮自在の刺激付与体が身体の傷む部位に適度な刺激を与え、痛みを短時間に除去できるとともに、安価に製造することができるサポーターが開示されている（例えば、特許文献１を参照）。
【０００３】
半月板を適度に押圧し、半月板を保護するとともに、半月板の変位により発生する膝の痛みの緩和及び半月板の矯正を図る半月板矯正ベルトが開示されている（例えば、特許文献２を参照）。
【０００４】
しかしながら、足の先から頭まで行う全身マッサージ機は、マッサージ効果はあるものの、高価であるばかりでなく椅子型であることから自宅やマンションでは場所を占めるなどの点で好ましくないという問題がある。また特許文献１に記載される如き身体の傷む部位にサポーターを装着するものにあっては、身体の傷む部位という特別な場合に使用されるもので、通常、腰痛、便通の改善、安眠効果、更に疲労回復などの目的で使用されるものではい。更に特許文献２に記載される如き半月板の保護という目的で使用するものであって、腰痛、便通の改善、安眠効果、更に疲労回復などの目的で使用されるものではい。
【先行技術文献】
【特許文献】
【０００５】
【特許文献１】特開２００６−１１６２５２（段落０００４、図１、図２、図１０、図１１）
【特許文献２】特開２００７−１０５３１１（段落０００１、図１、図２）
【考案の概要】
【考案が解決しようとする課題】
【０００６】
これに対して、本考案では、傷や打撲などの極度に痛む部位に使用するものではなく、酷くはないが毎日、腰痛、便通などに悩み、熟睡できず朝起きたときに疲労を感じるような状態の場合を考慮して、これらの容態を改善するサポーターについて検討したところ、簡単な形状で、しかも形状上安価に製造できる上、これらの効果が得られることを見出し、ここに本考案をなすに至った。
【０００７】
したがって、本考案が解決しようとする課題は、大腿部に巻き付けることによって腰痛、便通が改善され、安眠効果が得られ、更に疲労回復効果が得られる大腿部に適用する体形及び体調調整用サポーターを提供することにある。
【課題を解決するための手段】
【０００８】
前記の本考案の課題は、以下の各考案によってそれぞれ達成される。
（１）伸縮可能に編まれた長尺状編物からなり、該長尺状編物の両端部の表面側面と裏面側面にそれぞれ係止部材を有することを特徴とする大腿部に適用する体形及び体調調整用サポーター。
（２）前記サポーターは、両方の大腿部に一体的に巻き付けて使用し得る長さを有することを特徴とする前記第１項に記載の大腿部に適用する体形及び体調調整用サポーター。
（３）前記サポーターが、一つの大腿部に巻き付ける長さを有するサポーターであって、該サポーターの２個を外面同士の中間部を接続部剤で接続したことを特徴とする前記第１項に記載の大腿部に適用する体形及び体調調整用サポーター。
【考案の効果】
【０００９】
本考案の大腿部に適用する体形及び体調調整用サポーターは、伸縮可能に編まれた長尺状編物からなり、該両端部の表面側面と裏面側面にそれぞれ係止部材を有するので、これを大腿部に適用することにより、腰痛、便通が改善され、安眠効果が得られ、更に疲労回復効果が得られる上、簡単な形状で、しかも形状上安価に製造できるという優れた効果を奏するものである。
【００１０】
また本考案の大腿部に適用する体形及び体調調整用サポーターは、両方の大腿部に一体的に巻き付けて使用し得る長さを有することにより、使用者が簡単に両大腿部を一体的に巻き付けることができるばかりでなく簡単な形状で、しかも形状上安価に製造できる上、前述の如き優れた効果を奏するものである。
【００１１】
更に、本考案の大腿部に適用する体形及び体調調整用サポーターは、一つの大腿部に巻き付ける長さを有するサポーターであって、該サポーターの２個を外面同士の中間部を接続部剤で接続したことにより、大腿部同士が接触して擦れることがなく、したがって、一見煩わしいように思えるが、使用時に違和感がない上、意外にも快適に眠ることができ、前述の如き優れた効果を奏するものである。
【図面の簡単な説明】
【００１２】
【図１】本考案の大腿部に適用する体形及び体調調整用サポーターを示す図面である。図１のａは、その平面図であり、図１のｂは、その側面図である。
【図２】本考案の大腿部に適用する体形及び体調調整用サポーターを大腿部に一体的に適用したところを示す平面図である。
【図３】本考案の大腿部に適用する体形及び体調調整用サポーターの別の実施形態を示す側面図である。
【図４】図３に示される本考案の体形及び体調調整用サポーターを両大腿部に個々に巻き付けて適用したところを示す平面図である。
【考案を実施するための形態】
【００１３】
以下、図面に基づいて本考案の実施の形態を説明する。
図１は、本考案の大腿部に適用する体形及び体調調整用サポーターを示す図面である。図１のａは、その平面図であり、図１のｂは、その側面図である。また図２は、本考案の大腿部に適用する体形及び体調調整用サポーターを大腿部に一体的に適用したところを示す平面図である。図１及び２において、本考案の大腿部に適用する体形及び体調調整用サポーターＩは、伸縮可能に編まれた長尺状編物１からなる。具体的には、天然繊維、化学繊維からなる織布、編み布などが使用でき、しかもそれらの素材に伸縮性を有するか又は編み方によって伸縮性を持たせたものでもよい。また伸縮性の強さは、両大腿部に巻きつけた後、腿を開いたり、縮めたりすることが楽にできる程度が好ましい。また立って小股であるける程度の強度の伸縮性が好ましい。またこの長尺状編物１である両端部の表面側面と裏面側面にそれぞれ係止部材２，３を有している。係止部材２，３としては、面ファスナーが好ましい。これらの面ファスナー２，３は、これらの一方がルーブ状、他方がＪ字状からなるものでも、またこま型とパイル状との組合せでもよい。図１のｂは、例えば、表面側には、係止部材２としてループ２１が形成されており、また裏面側には、係止部材３としてＪ字状３１が形成されている。図２から明らかなように、両方の大腿部５に一体的に巻き付けてこれらの係止部材２、３とを接触させると強固に接続して係止される。なお、符号６は膝であり、符号７はすねである。
【００１４】
図３は、本考案の大腿部に適用する体形及び体調調整用サポーターの別の実施の形態を示す側面図である。また図４は、図３に示される本考案の体形及び体調調整用サポーターを両大腿部に個々に巻き付けて適用したところを示す平面図である。図３及び４において、片方の大体部５にまき付ける程度の長さを有する体形及び体調調整用サポーターが２個からなり、これらのサポーター１ａと１ｂとが互いに背中合わせに配置され、かつそれぞれサポーター１ａ、１ｂの中間部において固定部材４により接続されている。この固定部材４は伸縮性素材で形成されていてもよい。これらのサポーター１ａ、１ｂの表面側面及び裏面側面には、それぞれ面ファスナーを有し、具体的には、前述の如きこれらの一方がルーブ状、他方がＪ字状からなるものでも、またこま型とパイル状との組合せでもよい。図４は、図３に示される本考案のサポーターを大腿部５に装着したところを示したもので、このように両方の大腿部５，５にそれぞれ１ａ、１ｂを装着した。この状態では大腿部５，５を開いた場合、適度の伸縮性によってわずかの抵抗を感じる程度の力が作用している。
【００１５】
本考案の大腿部に適用する体形及び体調調整用サポーターを夜寝る前に大腿部に適用し、翌日の朝までその状態を保持することによって、一見煩わしいように思えるが、意外にも快適に眠ることができ、その間、疲労回復はもちろん、腰痛が良くなり、便通が整い、更に足腰が調整されて細くなりヒップアップ効果が得られる。
【産業上の利用可能性】
【００１６】
本考案は、高価な器具や機器を使用することなく、安価なサポーターにより睡眠中に体形や体調の調整ができる点で、優れた考案であり、今後、この整体の技術分野において自宅で簡単に行えることから極めて有用性を有するものである。
【符号の説明】
【００１７】
Ｉ、ＩＩ  サポーター
１  伸縮可能な長尺状体
１ａ、１ｂ  短長状体のサポーター
２、３  係止部材
４  接続部材
５  大腿部
６  膝
７  すね
２１  ループ
３１  Ｊ字状
【手続補正２】
【補正対象書類名】実用新案登録請求の範囲
【補正対象項目名】全文
【補正方法】変更
【補正の内容】
【実用新案登録請求の範囲】
【請求項１】
伸縮可能に編まれた長尺状編物からなり、該長尺状編物の両端部の表面側面と裏面側面にそれぞれ係止部材を有することを特徴とする大腿部に適用する体形及び体調調整用サポーター。
【請求項２】
前記サポーターは、両方の大腿部に一体的に巻き付けて使用し得る長さを有することを特徴とする請求項１に記載の大腿部に適用する体形及び体調調整用サポーター。
【請求項３】
前記サポーターが、一つの大腿部に巻き付ける長さを有するサポーターであって、該サポーターの２個を外面同士の中間部を接続部剤で接続したことを特徴とする請求項１に記載の大腿部に適用する体形及び体調調整用サポーター。